(57)【要約】      （修正有）【課題】離脱しにくい布団カバー及び布団カバーの形成方法を提供する。【解決手段】布団カバーＦは、矩形形状の布地の一方の短辺側の端部１０Ａの下に矩形形状の布地の他方の短辺側の端部１０Ｂが侵入して布地が重なるように布地を折り曲げ形成された矩形形状の布団カバー本体１と、この布団カバー本体１の表側に位置する第１の長辺ＡＢの縁部と布団カバー本体１の裏側に位置する第１の長辺Ａ’Ｂ’の縁部とを接合した第１の縁部１０Ｃと、布団カバー本体１の表側に位置する第２の長辺ＣＤの縁部と布団カバー本体１の裏側に位置する第２の長辺Ｃ’Ｄ’の縁部とを接合した第２の縁部１０Ｄとを備え、布地が重なる部位は非接合で、掛け布団又は毛布又は布団を出し入れする開口部を形成し、この開口部は、布団カバー本体１の表側に位置する表側カバー１Ｘの略中央を横断するように表側カバー１Ｘの短辺ＢＣ、ＤＡに平行に形成されている。【選択図】図１
2018075060.tif 000002
【特許請求の範囲】
【請求項１】
矩形形状の布地の一方の短辺側の端部の下に前記矩形形状の布地の他方の短辺側の端部が侵入して前記布地が重なるように前記布地を折り曲げ形成された矩形形状の布団カバー本体と、
この布団カバー本体の表側に位置する第１の長辺の縁部と前記布団カバー本体の裏側に位置する第１の長辺の縁部とを接合した第１の縁部と、
前記布団カバー本体の表側に位置する第２の長辺の縁部と前記布団カバー本体の裏側に位置する第２の長辺の縁部とを接合した第２の縁部とを備え、
前記布地が重なる部位は非接合で、掛け布団又は毛布又は布団を出し入れする開口部を形成し、
この開口部は、前記布団カバー本体の表側に位置する表側カバーの略中央を横断するように前記表側カバーの短辺に平行に形成されている
ことを特徴とする布団カバー。
【請求項２】
表側に位置する矩形形状の第１の布地と、
表側に位置する矩形形状の第２の布地と、
裏側に位置する矩形形状の第３の布地と、
前記第１の布地の一方の短辺側の端部の下に前記第２の布地の他方の短辺側の端部が重なるように位置し、前記第３の布地の他方の短辺側の端部と前記第１の布地の他方の短辺側の端部とが接合され、前記第３の布地の一方の短辺側の端部と前記第２の布地の一方の短辺側の端部とが接合されて形成された矩形形状の布団カバー本体と、
この布団カバー本体の表側に位置する第１の長辺の縁部と前記布団カバー本体の裏側に位置する第１の長辺の縁部とを接合した第１の縁部と、
前記布団カバー本体の表側に位置する第２の長辺の縁部と前記布団カバー本体の裏側に位置する第２の長辺の縁部とを接合した第２の縁部とを備え、
前記布地が重なる部位は非接合で、掛け布団又は毛布又は布団を出し入れする開口部を形成し、
この開口部は、前記布団カバー本体の表側に位置する表側カバーの略中央を横断するように前記表側カバーの短辺に平行に形成されている
ことを特徴とする布団カバー。
【請求項３】
表側に位置する矩形形状の第１の布地と、
表側及び裏側に位置する矩形形状の第２’の布地と、
前記第１の布地の一方の短辺側の端部の下に前記第２’の布地の一方の短辺側の端部が重なるように位置し、前記第１の布地の他方の短辺側の端部と前記第２’の布地の他方の短辺側の端部とが接合されて形成された矩形形状の布団カバー本体と、
この布団カバー本体の表側に位置する第１の長辺の縁部と前記布団カバー本体の裏側に位置する第１の長辺の縁部とを接合した第１の縁部と、
前記布団カバー本体の表側に位置する第２の長辺の縁部と前記布団カバー本体の裏側に位置する第２の長辺の縁部とを接合した第２の縁部とを備え、
前記布地が重なる部位は非接合で、掛け布団又は毛布又は布団を出し入れする開口部を形成し、
この開口部は、前記布団カバー本体の表側に位置する表側カバーの略中央を横断するように前記表側カバーの短辺に平行に形成されている
ことを特徴とする布団カバー。
【請求項４】
表側及び裏側に位置する矩形形状の第１’の布地と、
表側に位置する矩形形状の第２の布地と、
前記第１’の布地の一方の短辺側の端部の下に前記第２の布地の他方の短辺側の端部が重なるように位置し、前記第２の布地の一方の短辺側の端部と前記第１’の布地の他方の短辺側の端部とが接合されて形成された矩形形状の布団カバー本体と、
この布団カバー本体の表側に位置する第１の長辺の縁部と前記布団カバー本体の裏側に位置する第１の長辺の縁部とを接合した第１の縁部と、
前記布団カバー本体の表側に位置する第２の長辺の縁部と前記布団カバー本体の裏側に位置する第２の長辺の縁部とを接合した第２の縁部とを備え、
前記布地が重なる部位は非接合で、掛け布団又は毛布又は布団を出し入れする開口部を形成し、
この開口部は、前記布団カバー本体の表側に位置する表側カバーの略中央を横断するように前記表側カバーの短辺に平行に形成されている
ことを特徴とする布団カバー。
【請求項５】
表側カバーの第１の長辺の長手方向は、第１の方向であり、
布地が重なる部位の第１の方向に平行な長さ寸法は、Ｌであり、
前記布地が重なるＬ／２の位置は、前記布団カバー本体の長辺の１／２の位置である
ことを特徴とする請求項１〜４のいずれかに記載の布団カバー。
【請求項６】
矩形形状の布地の一方の短辺側の端部の下に前記矩形形状の布地の他方の短辺側の端部を侵入させて前記布地が重なるように前記布地を折り曲げ、その後、矩形形状の表側カバーの第１の長辺の縁部と矩形形状の裏側カバーの第１の長辺の縁部を縫製により接合し、 その後、前記表側カバーの第２の長辺の縁部と前記裏側カバーの第２の長辺の縁部とを縫製により接合してなる布団カバーの形成方法であって、 
前記布地の端部が対向する部位は非接合で、掛け布団又は毛布又は布団を出し入れする開口部を形成し、
この開口部は、前記表側カバーの略中央を横断するように、前記表側カバーの第１、第２の短辺に平行に形成されている
ことを特徴とする布団カバーの形成方法。
【請求項７】
表側カバーの第１の長辺の長手方向は、第１の方向であり、
布地が重なる部位の第１の方向に平行な長さ寸法は、Ｌであり、
前記布地が重なるＬ／２の位置は、前記布団カバー本体の長辺の１／２の位置である
ことを特徴とする請求項６記載の布団カバーの形成方法。
【請求項８】
矩形形状の布地の一方の短辺側の端部と前記矩形形状の布地の他方の短辺側の端部が対向するように前記布地を折り曲げ形成された矩形形状の布団カバー本体と、
この布団カバー本体の表側に位置する第１の長辺の縁部と前記布団カバー本体の裏側に位置する第１の長辺の縁部とを接合した第１の縁部と、
前記布団カバー本体の表側に位置する第２の長辺の縁部と前記布団カバー本体の裏側に位置する第２の長辺の縁部とを接合した第２の縁部とを備え、
前記矩形形状の布地の一方の短辺側の端部と前記矩形形状の布地の他方の短辺側の端部が対向する部位は非接合で、掛け布団又は毛布又は布団を出し入れする開口部を形成し、
この開口部は、前記布団カバー本体の表側に位置する表側カバーの略中央を横断するように前記表側カバーの短辺に平行に形成されている
ことを特徴とする布団カバー。
【請求項９】
表側に位置する矩形形状の第１の布地と、
表側に位置する矩形形状の第２の布地と、
裏側に位置する矩形形状の第３の布地と、
前記第１の布地の一方の短辺側の端部と前記第２の布地の他方の短辺側の端部とが対向する位置にあって、前記第３の布地の他方の短辺側の端部と前記第１の布地の他方の短辺側の端部とが接合され、前記第３の布地の一方の短辺側の端部と前記第２の布地の一方の短辺側の端部とが接合されて形成された矩形形状の布団カバー本体と、
この布団カバー本体の表側に位置する第１の長辺の縁部と前記布団カバー本体の裏側に位置する第１の長辺の縁部とを接合した第１の縁部と、
前記布団カバー本体の表側に位置する第２の長辺の縁部と前記布団カバー本体の裏側に位置する第２の長辺の縁部とを接合した第２の縁部とを備え、
前記第１の布地の一方の短辺側の端部と前記第２の布地の他方の短辺側の端部とが対向する部位は非接合で、掛け布団又は毛布又は布団を出し入れする開口部を形成し、
この開口部は、前記布団カバー本体の表側に位置する表側カバーの略中央を横断するように前記表側カバーの短辺に平行に形成されている
ことを特徴とする布団カバー。
【請求項１０】
表側に位置する矩形形状の第１の布地と、
表側及び裏側に位置する矩形形状の第２’の布地と、
前記第１の布地の一方の短辺側の端部と前記第２’の布地の一方の短辺側の端部とが対向する位置にあって、前記第１の布地の他方の短辺側の端部と前記第２’の布地の他方の短辺側の端部とが接合されて形成された矩形形状の布団カバー本体と、
この布団カバー本体の表側に位置する第１の長辺の縁部と前記布団カバー本体の裏側に位置する第１の長辺の縁部とを接合した第１の縁部と、
前記布団カバー本体の表側に位置する第２の長辺の縁部と前記布団カバー本体の裏側に位置する第２の長辺の縁部とを接合した第２の縁部とを備え、
前記第１の布地の一方の短辺側の端部と前記第２’の布地の一方の短辺側の端部とが対向する部位は非接合で、掛け布団又は毛布又は布団を出し入れする開口部を形成し、
この開口部は、前記布団カバー本体の表側に位置する表側カバーの略中央を横断するように前記表側カバーの短辺に平行に形成されている
ことを特徴とする布団カバー。
【請求項１１】
表側及び裏側に位置する矩形形状の第１’の布地と、
表側に位置する矩形形状の第２の布地と、
前記第１’の布地の一方の短辺側の端部と前記第２の布地の他方の短辺側の端部とが対向する位置にあって、前記第２の布地の一方の短辺側の端部と前記第１’の布地の他方の短辺側の端部とが接合されて形成された矩形形状の布団カバー本体と、
この布団カバー本体の表側に位置する第１の長辺の縁部と前記布団カバー本体の裏側に位置する第１の長辺の縁部とを接合した第１の縁部と、
前記布団カバー本体の表側に位置する第２の長辺の縁部と前記布団カバー本体の裏側に位置する第２の長辺の縁部とを接合した第２の縁部とを備え、
前記第１’の布地の一方の短辺側の端部と前記第２の布地の他方の短辺側の端部とが対向する部位は非接合で、掛け布団又は毛布又は布団を出し入れする開口部を形成し、
この開口部は、前記布団カバー本体の表側に位置する表側カバーの略中央を横断するように前記表側カバーの短辺に平行に形成されている
ことを特徴とする布団カバー。
【請求項１２】
開口部を開閉する開閉手段が設けられていることを特徴とする
ことを特徴とする請求項８〜１１のいずれかに記載の布団カバー。
【請求項１３】
矩形形状の布地の端部が対向するように前記布地を折り曲げ、その後、矩形形状の表側カバーの第１の長辺の縁部と矩形形状の裏側カバーの第１の長辺の縁部を縫製により接合し、その後、前記表側カバーの第２の長辺の縁部と前記裏側カバーの第２の長辺の縁部とを縫製により接合してなる布団カバーの形成方法であって、 
前記矩形形状の布地の一方の短辺側の端部と前記矩形形状の布地の他方の短辺側の端部が対向する部位は非接合で、掛け布団又は毛布又は布団を出し入れする開口部を形成し、
この開口部は、前記布団カバー本体の表側に位置する表側カバーの略中央を横断するように前記表側カバーの短辺に平行に形成されている
ことを特徴とする布団カバーの形成方法。
【発明の詳細な説明】
【技術分野】
【０００１】
本発明は、布団カバー及び布団カバーの形成方法に係り、特に、使用中、内部に収納した掛け布団又は毛布又は布団が離脱しにくい布団カバー及び布団カバーの形成方法に関する。
【背景技術】
【０００２】
掛け布団又は毛布又は布団を出し入れする開口部を有した布団カバーがある。
この布団カバーは表側カバーと裏側カバーを備え、前記開口部は、表側カバーの略中央を横断するように前記表側カバーの長辺に平行に形成されているため、開口部を介しての掛け布団又は毛布又は布団を出し入れし易くなっている。
【発明の概要】
【発明が解決しようとする課題】
【０００３】
ところが、前記布団カバーの使用中にあっては、布団カバーの中央の長辺に沿った長手方向側が高く、長辺の縁部に向かって低くなるから、前記開口部が開く方向に作用し、内部に収納されている掛け布団又は毛布又は布団が前記開口部から離脱し易いという問題点が生じた。
【０００４】
本発明は、上記実情を考慮してなされたもので、離脱しにくい布団カバー及び布団カバーの形成方法を提供することを目的とする。
【課題を解決するための手段】
【０００５】
請求項１記載の布団カバーは、矩形形状の布地の一方の短辺側の端部の下に前記矩形形状の布地の他方の短辺側の端部が侵入して前記布地が重なるように前記布地を折り曲げ形成された矩形形状の布団カバー本体と、この布団カバー本体の表側に位置する第１の長辺の縁部と前記布団カバー本体の裏側に位置する第１の長辺の縁部とを接合した第１の縁部と、前記布団カバー本体の表側に位置する第２の長辺の縁部と前記布団カバー本体の裏側に位置する第２の長辺の縁部とを接合した第２の縁部とを備え、前記布地が重なる部位は非接合で、掛け布団又は毛布又は布団を出し入れする開口部を形成し、この開口部は、前記布団カバー本体の表側に位置する表側カバーの略中央を横断するように前記表側カバーの短辺に平行に形成されているものである。
【０００６】
また、請求項２記載の布団カバーは、表側に位置する矩形形状の第１の布地と、表側に位置する矩形形状の第２の布地と、裏側に位置する矩形形状の第３の布地と、前記第１の布地の一方の短辺側の端部の下に前記第２の布地の他方の短辺側の端部が重なるように位置し、前記第３の布地の他方の短辺側の端部と前記第１の布地の他方の短辺側の端部とが接合され、前記第３の布地の一方の短辺側の端部と前記第２の布地の一方の短辺側の端部とが接合されて形成された矩形形状の布団カバー本体と、この布団カバー本体の表側に位置する第１の長辺の縁部と前記布団カバー本体の裏側に位置する第１の長辺の縁部とを接合した第１の縁部と、前記布団カバー本体の表側に位置する第２の長辺の縁部と前記布団カバー本体の裏側に位置する第２の長辺の縁部とを接合した第２の縁部とを備え、前記布地が重なる部位は非接合で、掛け布団又は毛布又は布団を出し入れする開口部を形成し、この開口部は、前記布団カバー本体の表側に位置する表側カバーの略中央を横断するように前記表側カバーの短辺に平行に形成されているものである。
【０００７】
また、請求項３記載の布団カバーは、表側に位置する矩形形状の第１の布地と、表側及び裏側に位置する矩形形状の第２’の布地と、前記第１の布地の一方の短辺側の端部の下に前記第２’の布地の一方の短辺側の端部が重なるように位置し、前記第１の布地の他方の短辺側の端部と前記第２’の布地の他方の短辺側の端部とが接合されて形成された矩形形状の布団カバー本体と、この布団カバー本体の表側に位置する第１の長辺の縁部と前記布団カバー本体の裏側に位置する第１の長辺の縁部とを接合した第１の縁部と、前記布団カバー本体の表側に位置する第２の長辺の縁部と前記布団カバー本体の裏側に位置する第２の長辺の縁部とを接合した第２の縁部とを備え、前記布地が重なる部位は非接合で、掛け布団又は毛布又は布団を出し入れする開口部を形成し、この開口部は、前記布団カバー本体の表側に位置する表側カバーの略中央を横断するように前記表側カバーの短辺に平行に形成されているものである。
【０００８】
また、請求項４記載の布団カバーは、表側及び裏側に位置する矩形形状の第１’の布地と、表側に位置する矩形形状の第２の布地と、前記第１’の布地の一方の短辺側の端部の下に前記第２の布地の他方の短辺側の端部が重なるように位置し、前記第２の布地の一方の短辺側の端部と前記第１’の布地の他方の短辺側の端部とが接合されて形成された矩形形状の布団カバー本体と、この布団カバー本体の表側に位置する第１の長辺の縁部と前記布団カバー本体の裏側に位置する第１の長辺の縁部とを接合した第１の縁部と、前記布団カバー本体の表側に位置する第２の長辺の縁部と前記布団カバー本体の裏側に位置する第２の長辺の縁部とを接合した第２の縁部とを備え、前記布地が重なる部位は非接合で、掛け布団又は毛布又は布団を出し入れする開口部を形成し、この開口部は、前記布団カバー本体の表側に位置する表側カバーの略中央を横断するように前記表側カバーの短辺に平行に形成されているものである。
【０００９】
また、請求項５記載の布団カバーは、請求項１〜４のいずれかに記載の布団カバーにおいて、表側カバーの第１の長辺の長手方向は、第１の方向であり、布地が重なる部位の第１の方向に平行な長さ寸法は、Ｌであり、前記布地が重なるＬ／２の位置は、前記布団カバー本体の長辺の１／２の位置である。
【００１０】
また、請求項６記載の布団カバーの形成方法は、矩形形状の布地の一方の短辺側の端部の下に前記矩形形状の布地の他方の短辺側の端部を侵入させて前記布地が重なるように前記布地を折り曲げ、その後、矩形形状の表側カバーの第１の長辺の縁部と矩形形状の裏側カバーの第１の長辺の縁部を縫製により接合し、 その後、前記表側カバーの第２の長辺の縁部と前記裏側カバーの第２の長辺の縁部とを縫製により接合してなる布団カバーの形成方法であって、前記布地の端部が対向する部位は非接合で、掛け布団又は毛布又は布団を出し入れする開口部を形成し、この開口部は、前記表側カバーの略中央を横断するように、前記表側カバーの第１、第２の短辺に平行に形成されているものである。
【００１１】
また、請求項７記載の布団カバーの形成方法は、請求項６記載の布団カバーの形成方法において、表側カバーの第１の長辺の長手方向は、第１の方向であり、布地が重なる部位の第１の方向に平行な長さ寸法は、Ｌであり、前記布地が重なるＬ／２の位置は、前記布団カバー本体の長辺の１／２の位置である。
【００１２】
また、請求項８記載の布団カバーは、矩形形状の布地の一方の短辺側の端部と前記矩形形状の布地の他方の短辺側の端部が対向するように前記布地を折り曲げ形成された矩形形状の布団カバー本体と、この布団カバー本体の表側に位置する第１の長辺の縁部と前記布団カバー本体の裏側に位置する第１の長辺の縁部とを接合した第１の縁部と、前記布団カバー本体の表側に位置する第２の長辺の縁部と前記布団カバー本体の裏側に位置する第２の長辺の縁部とを接合した第２の縁部とを備え、前記矩形形状の布地の一方の短辺側の端部と前記矩形形状の布地の他方の短辺側の端部が対向する部位は非接合で、掛け布団又は毛布又は布団を出し入れする開口部を形成し、この開口部は、前記布団カバー本体の表側に位置する表側カバーの略中央を横断するように前記表側カバーの短辺に平行に形成されているものである。
【００１３】
また、請求項９記載の布団カバーは、表側に位置する矩形形状の第１の布地と、表側に位置する矩形形状の第２の布地と、裏側に位置する矩形形状の第３の布地と、前記第１の布地の一方の短辺側の端部と前記第２の布地の他方の短辺側の端部とが対向する位置にあって、前記第３の布地の他方の短辺側の端部と前記第１の布地の他方の短辺側の端部とが接合され、前記第３の布地の一方の短辺側の端部と前記第２の布地の一方の短辺側の端部とが接合されて形成された矩形形状の布団カバー本体と、この布団カバー本体の表側に位置する第１の長辺の縁部と前記布団カバー本体の裏側に位置する第１の長辺の縁部とを接合した第１の縁部と、前記布団カバー本体の表側に位置する第２の長辺の縁部と前記布団カバー本体の裏側に位置する第２の長辺の縁部とを接合した第２の縁部とを備え、前記第１の布地の一方の短辺側の端部と前記第２の布地の他方の短辺側の端部とが対向する部位は非接合で、掛け布団又は毛布又は布団を出し入れする開口部を形成し、この開口部は、前記布団カバー本体の表側に位置する表側カバーの略中央を横断するように前記表側カバーの短辺に平行に形成されているものである。
【００１４】
また、請求項１０記載の布団カバーは、表側に位置する矩形形状の第１の布地と、表側及び裏側に位置する矩形形状の第２’の布地と、前記第１の布地の一方の短辺側の端部と前記第２’の布地の一方の短辺側の端部とが対向する位置にあって、前記第１の布地の他方の短辺側の端部と前記第２’の布地の他方の短辺側の端部とが接合されて形成された矩形形状の布団カバー本体と、この布団カバー本体の表側に位置する第１の長辺の縁部と前記布団カバー本体の裏側に位置する第１の長辺の縁部とを接合した第１の縁部と、前記布団カバー本体の表側に位置する第２の長辺の縁部と前記布団カバー本体の裏側に位置する第２の長辺の縁部とを接合した第２の縁部とを備え、前記第１の布地の一方の短辺側の端部と前記第２’の布地の一方の短辺側の端部とが対向する部位は非接合で、掛け布団又は毛布又は布団を出し入れする開口部を形成し、この開口部は、前記布団カバー本体の表側に位置する表側カバーの略中央を横断するように前記表側カバーの短辺に平行に形成されているものである。
【００１５】
また、請求項１１記載の布団カバーは、表側及び裏側に位置する矩形形状の第１’の布地と、表側に位置する矩形形状の第２の布地と、前記第１’の布地の一方の短辺側の端部と前記第２の布地の他方の短辺側の端部とが対向する位置にあって、前記第２の布地の一方の短辺側の端部と前記第１’の布地の他方の短辺側の端部とが接合されて形成された矩形形状の布団カバー本体と、この布団カバー本体の表側に位置する第１の長辺の縁部と前記布団カバー本体の裏側に位置する第１の長辺の縁部とを接合した第１の縁部と、
前記布団カバー本体の表側に位置する第２の長辺の縁部と前記布団カバー本体の裏側に位置する第２の長辺の縁部とを接合した第２の縁部とを備え、前記第１’の布地の一方の短辺側の端部と前記第２の布地の他方の短辺側の端部とが対向する部位は非接合で、掛け布団又は毛布又は布団を出し入れする開口部を形成し、この開口部は、前記布団カバー本体の表側に位置する表側カバーの略中央を横断するように前記表側カバーの短辺に平行に形成されているものである。
【００１６】
また、請求項１２記載の布団カバーは、請求項８〜１１のいずれかに記載の布団カバーにおいて、開口部を開閉するファスナーが設けられているものである。
【００１７】
また、請求項１３記載の布団カバーの形成方法は、矩形形状の布地の端部が対向するように前記布地を折り曲げ、その後、矩形形状の表側カバーの第１の長辺の縁部と矩形形状の裏側カバーの第１の長辺の縁部を縫製により接合し、その後、前記表側カバーの第２の長辺の縁部と前記裏側カバーの第２の長辺の縁部とを縫製により接合してなる布団カバーの形成方法であって、前記矩形形状の布地の一方の短辺側の端部と前記矩形形状の布地の他方の短辺側の端部が対向する部位は非接合で、掛け布団又は毛布又は布団を出し入れする開口部を形成し、この開口部は、前記布団カバー本体の表側に位置する表側カバーの略中央を横断するように前記表側カバーの短辺に平行に形成されているものである。
【発明の効果】
【００１８】
請求項１記載の布団カバーによれば、開口部が、布団カバー本体の表側に位置する表側カバーの略中央を横断するように前記表側カバーの短辺に平行に形成されているため、前記開口部を介して掛け布団又は毛布又は布団の出し入れが容易で、しかも、布団カバーの使用にあっては、布団カバーの中央の長辺に沿った長手方向側が高く、長辺の縁部に向かって低くなるから、前記開口部が開く方向に作用せず、布団カバーの使用中、内部に収納されている掛け布団又は毛布又は布団が前記開口部から離脱しにくく、前記開口部が、若干、開いても、矩形形状の布地の一方の短辺側の端部の下に前記矩形形状の布地の他方の短辺側の端部が侵入して前記布地が重なるように形成されているため、内部の掛け布団又は毛布又は布団が前記開口部を介して露出しにくく、見栄えが損なわれるのを防ぐことができる等の効果を奏する。
【００１９】
また、請求項２記載の布団カバーによれば、開口部が、布団カバー本体の表側に位置する表側カバーの略中央を横断するように前記表側カバーの短辺に平行に形成されているため、前記開口部を介して掛け布団又は毛布又は布団の出し入れが容易で、しかも、布団カバーの使用にあっては、布団カバーの中央の長辺に沿った長手方向側が高く、長辺の縁部に向かって低くなるから、前記開口部が開く方向に作用せず、布団カバーの使用中、内部に収納されている掛け布団又は毛布又は布団が前記開口部から離脱しにくく、前記開口部が、若干、開いても、矩形形状の布地の一方の短辺側の端部の下に前記矩形形状の布地の他方の短辺側の端部が侵入して前記布地が重なるように形成されているため、内部の掛け布団又は毛布又は布団が前記開口部を介して露出しにくく、見栄えが損なわれるのを防ぐことができる等の効果を奏する。
【００２０】
また、請求項３記載の布団カバーによれば、開口部が、布団カバー本体の表側に位置する表側カバーの略中央を横断するように前記表側カバーの短辺に平行に形成されているため、前記開口部を介して掛け布団又は毛布又は布団の出し入れが容易で、しかも、布団カバーの使用にあっては、布団カバーの中央の長辺に沿った長手方向側が高く、長辺の縁部に向かって低くなるから、前記開口部が開く方向に作用せず、布団カバーの使用中、内部に収納されている掛け布団又は毛布又は布団が前記開口部から離脱しにくく、前記開口部が、若干、開いても、矩形形状の布地の一方の短辺側の端部の下に前記矩形形状の布地の他方の短辺側の端部が侵入して前記布地が重なるように形成されているため、内部の掛け布団又は毛布又は布団が前記開口部を介して露出しにくく、見栄えが損なわれるのを防ぐことができる等の効果を奏する。
【００２１】
また、請求項４載の布団カバーによれば、開口部が、布団カバー本体の表側に位置する表側カバーの略中央を横断するように前記表側カバーの短辺に平行に形成されているため、前記開口部を介して掛け布団又は毛布又は布団の出し入れが容易で、しかも、布団カバーの使用にあっては、布団カバーの中央の長辺に沿った長手方向側が高く、長辺の縁部に向かって低くなるから、前記開口部が開く方向に作用せず、布団カバーの使用中、内部に収納されている掛け布団又は毛布又は布団が前記開口部から離脱しにくく、前記開口部が、若干、開いても、矩形形状の布地の一方の短辺側の端部の下に前記矩形形状の布地の他方の短辺側の端部が侵入して前記布地が重なるように形成されているため、内部の掛け布団又は毛布又は布団が前記開口部を介して露出しにくく、見栄えが損なわれるのを防ぐことができる等の効果を奏する。
【００２２】
また、請求項６記載の布団カバーの形成方法によれば、矩形形状の布地の一方の短辺側の端部の下に前記矩形形状の布地の他方の短辺側の端部を侵入させて前記布地が重なるように前記布地を折り曲げ、その後、矩形形状の表側カバーの第１の長辺の縁部と矩形形状の裏側カバーの第１の長辺の縁部を縫製により接合し、 その後、前記表側カバーの第２の長辺の縁部と前記裏側カバーの第２の長辺の縁部とを縫製により接合してなる布団カバーの形成方法であるため、
布地の端部が対向する部位は非接合で、掛け布団又は毛布又は布団を出し入れする開口部を形成し、この開口部は、前記表側カバーの略中央を横断するように、前記表側カバーの第１、第２の短辺に平行に形成されている布団カバーを簡易に形成することができる。
【００２３】
また、請求項８記載の布団カバーによれば、開口部が、前記布団カバー本体の表側に位置する表側カバーの略中央を横断するように前記表側カバーの短辺に平行に形成されているため、前記開口部を介して掛け布団又は毛布又は布団の出し入れが容易で、しかも、布団カバーの使用にあっては、布団カバーの中央の長辺に沿った長手方向側が高く、長辺の縁部に向かって低くなるから、前記開口部が開く方向に作用せず、布団カバーの使用中、内部に収納されている掛け布団又は毛布又は布団が前記開口部から離脱しにくい等の効果を奏する。
【００２４】
また、請求項９記載の布団カバーによれば、開口部が、前記布団カバー本体の表側に位置する表側カバーの略中央を横断するように前記表側カバーの短辺に平行に形成されているため、前記開口部を介して掛け布団又は毛布又は布団の出し入れが容易で、しかも、布団カバーの使用にあっては、布団カバーの中央の長辺に沿った長手方向側が高く、長辺の縁部に向かって低くなるから、前記開口部が開く方向に作用せず、布団カバーの使用中、内部に収納されている掛け布団又は毛布又は布団が前記開口部から離脱しにくい等の効果を奏する。
【００２５】
また、請求項１０記載の布団カバーによれば、開口部が、前記布団カバー本体の表側に位置する表側カバーの略中央を横断するように前記表側カバーの短辺に平行に形成されているため、前記開口部を介して掛け布団又は毛布又は布団の出し入れが容易で、しかも、布団カバーの使用にあっては、布団カバーの中央の長辺に沿った長手方向側が高く、長辺の縁部に向かって低くなるから、前記開口部が開く方向に作用せず、布団カバーの使用中、内部に収納されている掛け布団又は毛布又は布団が前記開口部から離脱しにくい等の効果を奏する。
【００２６】
また、請求項１１記載の布団カバーによれば、開口部が、前記布団カバー本体の表側に位置する表側カバーの略中央を横断するように前記表側カバーの短辺に平行に形成されているため、前記開口部を介して掛け布団又は毛布又は布団の出し入れが容易で、しかも、布団カバーの使用にあっては、布団カバーの中央の長辺に沿った長手方向側が高く、長辺の縁部に向かって低くなるから、前記開口部が開く方向に作用せず、布団カバーの使用中、内部に収納されている掛け布団又は毛布又は布団が前記開口部から離脱しにくい等の効果を奏する。
【００２７】
開口部が開口されたままであると、布団カバーの使用中、開口部が若干、開いて、内部の掛け布団又は毛布又は布団が前記開口部を介して露出し、見栄えが損なわれる欠点を有するが、
請求項１２記載の布団カバーによれば、上述した請求項８〜１１のいずれかに記載の発明の効果に加え、開口部を開閉手段により閉じることができるため、上記欠点を除去することができる。
【００２８】
また、請求項１３記載の布団カバーの形成方法によれば、矩形形状の布地の端部が対向するように前記布地を折り曲げ、その後、矩形形状の表側カバーの第１の長辺の縁部と矩形形状の裏側カバーの第１の長辺の縁部を縫製により接合し、その後、前記表側カバーの第２の長辺の縁部と前記裏側カバーの第２の長辺の縁部とを縫製により接合してなる布団カバーの形成方法であるため、
前記矩形形状の布地の一方の短辺側の端部と前記矩形形状の布地の他方の短辺側の端部が対向する部位は非接合で、掛け布団又は毛布又は布団を出し入れする開口部を形成し、この開口部は、前記布団カバー本体の表側に位置する表側カバーの略中央を横断するように前記表側カバーの短辺に平行に形成されている布団カバーを簡易に形成することができる。
【図面の簡単な説明】
【００２９】
【図１】図１は、本発明の一実施例の布団カバーの概略的平面図である。
【図２】図２は、図１の概略的断面図である。
【図３】図３は、図１の３−３による概略的断面図である。
【図４】図４は、図１の４−４による概略的断面図である。
【図５】図５は、図１、図２を構成する前の布地の概略的平面図である。
【図６】図６は、図１と異なる他の実施例の布団カバーの概略的平面図である。
【図７】図７は、図６の概略的断面図である。
【図８】図８は、図６と異なる他の実施例の布団カバーの概略的平面図である。
【図９】図９は、図８の概略的断面図である。
【図１０】図１０は、図８と異なる他の実施例の布団カバーの概略的平面図である。
【図１１】図１１は、図１０の概略的断面図である。
【図１２】図１２は、図１０と異なる他の実施例の布団カバーの概略的平面図である。
【図１３】図１３は、図１２の概略的断面図である。
【図１４】図１４は、図１２の１４−１４による概略的断面図である。
【図１５】図１５は、図１２の１５−１５による概略的断面図である。
【図１６】図１６は、図１２、図１３を構成する前の布地の概略的平面図である。
【図１７】図１７は、図１２と異なる他の実施例の布団カバーの概略的平面図である。
【図１８】図１８は、図１７の概略的断面図である。
【図１９】図１９は、図１７と異なる他の実施例の布団カバーの概略的平面図である。
【図２０】図２０は、図１９の概略的断面図である。
【図２１】図２１は、図１９と異なる他の実施例の布団カバーの概略的平面図である。
【図２２】図２２は、図２１の概略的断面図である。
【発明を実施するための形態】
【００３０】
本発明の一実施例の布団カバー及び布団カバーの形成方法を図１乃至図５を参照して説明する。
図１において、Ｆは掛け布団又は毛布又は布団を収納する布団カバーで、布団カバーＦは、矩形形状の布地１０の一方の短辺側の端部１０Ａの下に矩形形状の布地１０の他方の短辺側の端部１０Ｂが侵入して布地１０が重なるように布地１０を折り曲げ形成された矩形形状の布団カバー本体１を有している。
また、１０Ｃは、布団カバー本体１０の表側に位置する第１の長辺ＡＢの縁部と布団カバー本体１０の裏側に位置する第１の長辺Ａ’Ｂ’の縁部とを縫製等により接合した第１の縁部であり、１０Ｄは、布団カバー本体１０の表側に位置する第２の長辺ＣＤの縁部と布団カバー本体１０の裏側に位置する第２の長辺Ｃ’Ｄ’の縁部とを縫製等により接合した第２の縁部である。
なお、表側カバー１Ｘの第１の長辺ＡＢの長手方向は、第１の方向１Ｅであり、布地１０が重なる部位の第１の方向１Ｅに平行な長さ寸法は、Ｌであり、布地１０が重なるＬ／２の位置は、布団カバー本体１の長辺ＡＢの１（エル）／２の位置となっている。つまり、布地１０が重なるＬ／２の位置は、短辺ＢＣ（ＤＡ）から布団カバー本体１の長辺ＡＢ（ＣＤ）の長さ寸法ｌ（エル）／２の位置にある。
【００３１】
従って、上述した布団カバーＦによれば、開口部Ｋが、布団カバー本体１の表側に位置する表側カバー１Ｘの略中央を横断するように表側カバー１Ｘの短辺ＢＣ、ＤＡに平行に形成されているため、開口部Ｋを介して図示しない掛け布団又は毛布又は布団の出し入れが容易で、しかも、布団カバーＦの使用にあっては、布団カバーＦの中央の長辺ＭＮ（ＭはＡＢの中点、ＮはＣＤの中点）に沿った長手方向側が高く、長辺ＡＢ、ＣＤの縁部に向かって低くなるから、開口部Ｋが開く方向に作用せず、布団カバーＦの使用中、内部に収納されている図示しない掛け布団又は毛布又は布団が開口部Ｋから離脱しにくく、開口部Ｋが、若干、開いても、矩形形状の布地１０の一方の短辺側の端部１０Ａの下に矩形形状の布地１０の他方の短辺側の端部１０Ｂが侵入して布地１０が重なるように形成されているため、内部の掛け布団又は毛布又は布団が開口部Ｋを介して露出しにくく、見栄えが損なわれるのを防ぐことができる等の効果を奏する。
【００３２】
上述した布団カバーＦは、次のようにして形成することができる。
即ち、矩形形状の布地１０（図５参照）の一方の短辺側の端部１０Ａの下に矩形形状の布地の他方の短辺側の端部１０Ｂを侵入させて布地１０が重なるように布地１０を折り曲げる（折り曲げ工程  図１参照）。
その後、矩形形状の表側カバー１Ｘの第１の長辺ＡＢの縁部と矩形形状の裏側カバー１Ｙの第１の長辺Ａ’Ｂ’の縁部を縫製により接合する（第１の接合工程  接合部位１０Ｃ）。
その後、表側カバー１Ｘの第２の長辺ＣＤの縁部と裏側カバー１Ｙの第２の長辺Ｃ’Ｄ’の縁部とを縫製により接合（第２の接合工程  接合部位１０Ｄ）して、布団カバーＦを形成する。
そして、布地１０の端部が対向する部位（重なる部位）は非接合で、掛け布団又は毛布又は布団を出し入れする開口部Ｋを形成し、この開口部Ｋは、表側カバー１Ｘの略中央を横断するように、表側カバー１Ｘの第１、第２の短辺ＢＣ、ＤＡに平行に形成されている。
【００３３】
従って、上述した布団カバーの形成方法によれば、矩形形状の布地１０の一方の短辺側の端部１０Ａの下に矩形形状の布地１０の他方の短辺側の端部１０Ｂを位置して布地１０が重なるように布地１０を折り曲げ、その後、矩形形状の表側カバー１Ｘの第１の長辺ＡＢの縁部と矩形形状の裏側カバー１Ｙの第１の長辺Ａ’Ｂ’の縁部を縫製により接合し、 その後、表側カバー１Ｘの第２の長辺ＣＤの縁部と裏側カバー１Ｙの第２の長辺Ａ’Ｂ’の縁部とを縫製により接合してなる布団カバーの形成方法であるため、
布地１０の端部が対向する部位（重なる部位）は非接合で、図示しない掛け布団又は毛布又は布団を出し入れする開口部Ｋを形成し、この開口部Ｋは、表側カバー１Ｘの略中央を横断するように、表側カバー１Ｘの第１、第２の短辺ＢＣ、ＤＡに平行に形成されている布団カバーＦを簡易に形成することができる。
【００３４】
なお、上述した図１乃至図４記載の布団カバーＦの布団カバー本体１を、一枚の矩形形状の布地１０の一方の短辺側の端部１０Ａの下に矩形形状の布地１０の他方の短辺側の端部１０Ｂを位置して布地１０が重なるように布地１０を折り曲げ、一枚の布地１０を矩形形状の布地の一方の短辺側の端部１０Ａの下に矩形形状の布地の他方の短辺側の端部１０Ｂが位置して布地１０が重なるように一枚の布地１０を折り曲げ形成したが、本願発明にあっては、これに限らず、例えば、一枚の布地１０ではなく、複数枚の布地を縫製等により接合して構成しても良い。
【００３５】
即ち、図６及び図７に示すように、表側に位置する矩形形状の第１の布地１０１、表側に位置する矩形形状の第２の布地１０２、裏側に位置する矩形形状の第３の布地１０３と３枚の布地（１０１、１０２、１０３）を用意し、
第１の布地１０１の一方の短辺側の端部１０１Ａの下に第２の布地１０２の他方の短辺側の端部１０２Ｂが重なるように位置し、第３の布地１０３の他方の短辺側の端部１０３Ｂと第１の布地１０１の他方の短辺側の端部１０１Ｂとを縫製等により接合（接合部位１０Ｅ）され、第３の布地１０３の一方の短辺側の端部１０３Ａと第２の布地１０２の一方の短辺側の端部１０２Ａとが縫製等により接合（接合部位１０Ｆ）されて矩形形状の布団カバー本体１が形成されても良いし（図６及び図７記載の布団カバーＦは、図１乃至図４記載の布団カバーＦと同一部分に同一符号を付して、その説明を省略する。）、
また、図８及び図９に示すように、表側に位置する矩形形状の第１の布地１０１、表側及び裏側に位置する矩形形状の第２’の布地１０２’と２枚の布地を用意し、
第１の布地１０１の一方の短辺側の端部１０１Ａの下に第２’の布地１０２’の一方の短辺側の端部１０２’Ａが重なるように位置し、第１の布地１０１の他方の短辺側の端部１０１Ｂと第２’の布地１０２’の他方の短辺側の端部１０２’Ｂとが縫製等により接合（接合部位１０Ｅ）されて矩形形状の布団カバー本体１が形成されても良いし（図８及び図９記載の布団カバーＦは、図１乃至図４記載の布団カバーＦと同一部分に同一符号を付して、その説明を省略する。）、
また、図１０及び図１１に示すように、表側及び裏側に位置する矩形形状の第１’の布地１０１’、表側に位置する矩形形状の第２の布地１０２と２枚の布地を用意し、
第１’の布地１０１’の一方の短辺側の端部１０１’Ａの下に第２の布地１０２の他方の短辺側の端部１０２Ｂが重なるように位置し、第２の布地１０２の一方の短辺側の端部１０２Ａと第１’の布地１０１’の他方の短辺側の端部１０１’Ｂとが縫製等により接合（接合部位１０Ｆ）されて矩形形状の布団カバー本体１が形成されても良い（図１０及び図１１記載の布団カバーＦは、図１乃至図４記載の布団カバーＦと同一部分に同一符号を付して、その説明を省略する。）。
【００３６】
上述した図１乃至図１１記載の布団カバーＦは、矩形形状の布地１０の一方の短辺側の端部１０Ａの下に矩形形状の布地１０の他方の短辺側の端部１０Ｂが侵入（位置）して布地１０が重なるように布地１０を折り曲げ形成したが、本願発明は、これに限らず、例えば、図１２乃至図１５記載の布団カバーＦでも良い。
即ち、図１２及び図１３において、Ｆは掛け布団又は毛布又は布団を収納する布団カバーで、布団カバーＦは、矩形形状の布地１０の一方の短辺側の端部１０Ａと矩形形状の布地１０の他方の短辺側の端部１０Ｂが対向するように布地１０を折り曲げ形成された矩形形状の布団カバー本体１を有している（図１４及び図１５参照）。
また、図１４に示す１０Ｃは、布団カバー本体１０の表側に位置する第１の長辺ＡＢの縁部と布団カバー本体１０の裏側に位置する第１の長辺Ａ’Ｂ’の縁部とを接合した第１の縁部であり、図１５に示す１０Ｄは、布団カバー本体１０の表側に位置する第２の長辺ＣＤの縁部と布団カバー本体１０の裏側に位置する第２の長辺Ｃ’Ｄ’の縁部とを接合した第２の縁部である。
そして、矩形形状の布地１０の一方の短辺側の端部１０Ａと矩形形状の布地１０の他方の短辺側の端部１０Ｂが対向する部位は非接合で、図示しない掛け布団又は毛布又は布団を出し入れする開口部Ｋを形成し、この開口部Ｋは、布団カバー本体１の表側に位置する表側カバー１Ｘの略中央（望ましくは、中央）を横断するように表側カバー１Ｘの短辺ＢＣ、ＤＡに平行に形成されている。
なお、開口部Ｋが開口されたままであると、布団カバーＦの使用中、開口部Ｋが若干、開いて、内部の図示しない掛け布団又は毛布又は布団が開口部Ｋを介して露出し、見栄えが損なわれる欠点を有するが、開口部Ｋを開閉手段（図示せず）により閉じるようにすれば、上記欠点を除去することができる。
開閉手段は、図示しないが、開口部Ｋの縁部に、面ファスナー［マジックテープ（登録商標）］、ホックボタン、フック、ボタン、又はチャック等を取り付けたものである。
【００３７】
従って、上述した図１２乃至図１５記載の布団カバーＦによれば、開口部Ｋが、布団カバー本体１の表側に位置する表側カバー１Ｘの略中央（望ましくは、中央）を横断するように表側カバー１Ｘの短辺ＢＣ、ＤＡに平行に形成されているため、開口部Ｋを介して図示しない掛け布団又は毛布又は布団の出し入れが容易で、しかも、布団カバーＦの使用にあっては、布団カバーＦの中央の長辺ＭＮ（ＭはＢＣの中点、ＮはＤＡの中点）に沿った長手方向側が高く、長辺ＡＢ、ＣＤの縁部に向かって低くなるから、開口部Ｋが開く方向に作用せず、布団カバーＦの使用中、内部に収納されている掛け布団又は毛布又は布団が開口部Ｋから離脱しにくい等の効果を奏する。
【００３８】
上述した布団カバーＦは、次のようにして形成することができる。
即ち、矩形形状の布地１０（図１６参照）の端部１０Ａ、１０Ｂが対向するように布地１０を折り曲げる（折り曲げ工程  図１３参照）。
その後、矩形形状の表側カバー１Ｘの第１の長辺ＡＢの縁部と矩形形状の裏側カバー１Ｙの第１の長辺Ａ’Ｂ’の縁部を縫製により接合する（第１の接合工程  接合部位１０Ｃ）。
その後、表側カバー１Ｘの第２の長辺ＣＤの縁部と裏側カバー１Ｙの第２の長辺Ｃ’Ｄ’の縁部とを縫製により接合（第２の接合工程  接合部位１０Ｄ）して、布団カバーＦを形成する。
そして、矩形形状の布地１０の一方の短辺側の端部１０Ａと矩形形状の布地１０の他方の短辺側の端部１０Ｂが対向する部位は非接合で、掛け布団又は毛布又は布団を出し入れする開口部Ｋを形成し、この開口部Ｋは、布団カバー本体１の表側に位置する表側カバー１Ｘの略中央（望ましくは、中央）を横断するように表側カバー１Ｘの第１、第２の短辺ＢＣ、ＤＡに平行に形成されている。
【００３９】
従って、上述した図１２乃至図１５記載の布団カバーの形成方法によれば、矩形形状の布地１０の端部１０Ａ、１０Ｂが対向するように布地１０を折り曲げ、その後、矩形形状の表側カバー１Ｘの第１の長辺ＡＢの縁部と矩形形状の裏側カバー１Ｙの第１の長辺Ａ’Ｂ’の縁部を縫製により接合し、その後、表側カバー１Ｘの第２の長辺ＣＤの縁部と裏側カバー１Ｙの第２の長辺Ｃ’Ｄ’の縁部とを縫製により接合してなる布団カバーの形成方法であるため、
矩形形状の布地１０の一方の短辺側の端部１０Ａと矩形形状の布地１０の他方の短辺側の端部１０Ｂが対向する部位は非接合で、図示しない掛け布団又は毛布又は布団を出し入れする開口部Ｋを形成し、この開口部Ｋは、布団カバー本体１の表側に位置する表側カバー１Ｘの略中央（望ましくは、中央）を横断するように表側カバー１Ｘの短辺ＢＣ、ＤＡに平行に形成されている布団カバーを簡易に形成することができる。
【００４０】
なお、上述した図１２乃至図１５記載の布団カバーＦの布団カバー本体１を、一枚の布地１０を矩形形状の布地の一方の短辺側の端部１０Ａと矩形形状の布地の他方の短辺側の端部１０Ｂとが対向するように一枚の布地１０を折り曲げ形成したが、本願発明は、これに限らず、例えば、一枚の布地１０ではなく、複数枚の布地を縫製等により接合して構成しても良い。
【００４１】
即ち、図１７及び図１８に示すように、表側に位置する矩形形状の第１の布地１０１、表側に位置する矩形形状の第２の布地１０２、裏側に位置する矩形形状の第３の布地１０３と３枚の布地（１０１、１０２、１０３）をを用意し、
第１の布地１０１の一方の短辺側の端部１０１Ａと第２の布地１０２の他方の短辺側の端部１０２Ｂとが対向する位置にあって、第３の布地１０３の他方の短辺側の端部１０３Ｂと第１の布地１０１の他方の短辺側の端部１０１Ｂとが縫製等により接合（接合部位１０Ｅ）され、第３の布地１０３の一方の短辺側の端部１０３Ａと第２の布地１０２の一方の短辺側の端部１０２Ａとが縫製等により接合（接合部位１０Ｆ）されて矩形形状の布団カバー本体１が形成されても良いし（図１７及び図１８記載の布団カバーＦは、図１２乃至図１５記載の布団カバーＦと同一部分に同一符号を付して、その説明を省略する。）。
また、図１９及び図２０に示すように、表側に位置する矩形形状の第１の布地１０１、表側及び裏側に位置する矩形形状の第２’の布地１０２’と２枚の布地を用意し、
第１の布地１０１の一方の短辺側の端部１０１Ａと第２’の布地１０２’の一方の短辺側の端部１０２’Ａとが対向する位置にあって、第１の布地１０１の他方の短辺側の端部１０１Ｂと第２’の布地１０２’の他方の短辺側の端部１０２’Ｂとが縫製等により接合（接合部位１０Ｅ）されて矩形形状の布団カバー本体１が形成されても良いし（図１９及び図２０記載の布団カバーＦは、図１２乃至図１５記載の布団カバーＦと同一部分に同一符号を付して、その説明を省略する。）、
また、図２１及び図２２に示すように、表側及び裏側に位置する矩形形状の第１’の布地１０１’、表側に位置する矩形形状の第２の布地１０２と２枚の布地を用意し、
第１’の布地１０１’の一方の短辺側の端部１０１’Ａと第２の布地１０２の他方の短辺側の端部１０２Ｂとが対向する位置にあって、第２の布地１０２の一方の短辺側の端部１０２Ａと第１’の布地１０１’の他方の短辺側の端部１０１’Ｂとが縫製等により接合（接合部位１０Ｆ）されて矩形形状の布団カバー本体１が形成されても良い（図２１及び図２２記載の布団カバーＦは、図１２乃至図１５記載の布団カバーＦと同一部分に同一符号を付して、その説明を省略する。）。
なお、上述した図１乃至図２２記載の布団カバーＦは、掛け布団カバーに好適である。
【符号の説明】
【００４２】
Ｆ      布団カバー
１      布団カバー本体
１Ｘ    表側カバー
１０    布地
１０Ａ  一方の短辺側の端部
１０Ｂ  他方の短辺側の端部
１０Ｃ  第１の縁部
１０Ｄ  第２の縁部
ＡＢ   表側に位置する第１の長辺
Ａ’Ｂ’裏側に位置する第１の長辺
ＣＤ    表側に位置する第２の長辺
Ｃ’Ｄ’裏側に位置する第２の長辺
【図１】
2018075060.tif 000003
【図２】
2018075060.tif 000004
【図３】
2018075060.tif 000005
【図４】
2018075060.tif 000006
【図５】
2018075060.tif 000007
【図６】
2018075060.tif 000008
【図７】
2018075060.tif 000009
【図８】
2018075060.tif 000010
【図９】
2018075060.tif 000011
【図１０】
2018075060.tif 000012
【図１１】
2018075060.tif 000013
【図１２】
2018075060.tif 000014
【図１３】
2018075060.tif 000015
【図１４】
2018075060.tif 000016
【図１５】
2018075060.tif 000017
【図１６】
2018075060.tif 000018
【図１７】
2018075060.tif 000019
【図１８】
2018075060.tif 000020
【図１９】
2018075060.tif 000021
【図２０】
2018075060.tif 000022
【図２１】
2018075060.tif 000023
【図２２】
2018075060.tif 000024